(57)【要約】【課題】容器を順次重ね合わせながら生育を進行させる栽培方法を用いて多量の栽培を行う場合に、ｐｏｔ  ｏｎ  ｐｏｔ法と比べて面積効率を向上させ、併せて、根切り作業に要する労力を軽減させる。【解決手段】植物栽培用容器セット１００は、底壁部２２に、上下方向に貫通する複数の孔２３が形成された容器１０〜１Ｎと、複数の容器収容部と、載置面と容器収容部の底部との間に所定の空隙２４が形成されるようにするための空隙形成部とを備えた容器保持コンテナ２０とにより構成された多連容器ユニット５０と、多連容器ユニット５０の総下面積よりも広く上面が開口したトレーユニットとを備えることを特徴とする。これにより、面積効率の良い植物栽培ができる。また、根切り作業を行うことによって、用土から吸収した硝酸イオンなどの化学成分を消化し、化学成分の含有量が少ない安全性の高い植物を得ることができる。【選択図】図５
2010279320.tif 000002
【特許請求の範囲】
【請求項１】
植物の栽培に用いる植物栽培用容器セットであって、
上面が開口し、底壁部には、上下方向に貫通する複数の孔が形成された容器と、
前記容器に形成された複数の孔を塞がない形で前記容器を複数隣接して配設するための複数の容器収容部と、土の上などに載置されたときに、載置面と該容器収容部の底部との間に所定の空隙が形成されるようにするための空隙形成部とを備えた容器保持コンテナとにより構成された多連容器ユニットと、
前記多連容器ユニットの総下面積よりも広く上面が開口し、底壁部に、上下方向に貫通する複数の孔が形成された容器であって、前記多連容器ユニットで生育している植物が所定の状態になったときに該多連容器ユニットが上側に載置され、前記植物が特定の状態となったときには該多連容器ユニットが離脱されるトレーユニットとを備える
ことを特徴とする植物栽培用容器セット。  
【請求項２】
前記トレーユニットには、底壁部に前記複数の孔と略垂直に交差する根切り孔が形成された
請求項１記載の植物栽培用容器セット。
【請求項３】
植物の栽培方法であって、
栽培対象とする植物の生育段階を複数に分類し、
植物の栽培に用いる植物栽培用容器であって、
上面が開口し、底壁部には、上下方向に貫通する複数の孔が形成された複数の容器と、
前記容器に形成された複数の孔を塞がない形で前記容器を複数隣接して配設するための複数の容器収容部と、土の上などに載置されたときに、載置面と該容器収容部の底部との間に所定の空隙が形成されるようにするための空隙形成部とを備えた容器保持コンテナとを用意し、
前記複数の容器に、第１生育段階に応じた肥料を混合した用土を充填し、それぞれ植物の種若しくは苗を植え付け、
前記種若しくは苗の成長が第２生育段階に至ったときに、前記複数の容器を前記容器保持コンテナの容器収容部に収容した状態で第２生育段階に応じた用土の上に載置し、
以後、前記栽培対象とする植物の成長に応じて、前記複数の容器を、生育段階に応じた用土の上に載置し、
前記栽培対象とする植物が特定の条件を満たしたときには、前記空隙形成部により形成された空隙を通る前記栽培対象とする植物の根を切断し、前記複数の容器を載置した用土から外して、生育を進行させる
ことを特徴とする植物の栽培方法。
【請求項４】
前記複数用意した容器の総下面積よりも広く上面が開口し、底壁部には上下方向に貫通する複数の孔が形成されたトレーを、前記分類した生育段階の数に応じて用意し、
前記種若しくは苗の成長が第２生育段階に至ったときに、前記トレーの１つに、第２生育段階に応じた用土を充填し、前記複数用意した容器を前記容器保持コンテナの容器収容部に収容した状態で該トレーの上に重ね合わせ、
以後、前記栽培対象とする植物の成長に応じて、最下部のトレーを、次の生育段階に応じた用土の上に重ね合わせることで生育を進行させる
請求項３記載の植物の栽培方法。
【請求項５】
前記トレーの底壁部には、前記複数の孔と略垂直に交差する根切り孔が形成されており、
前記栽培対象とする植物が所定の条件を満たしたときには、前記根切り孔を通る前記栽培対象とする植物の根を切断し、根切りに使用した根切り孔を備えたトレーを、該トレーを載置した用土から外して、生育を進行させる
請求項３記載の植物の栽培方法。
【発明の詳細な説明】
【技術分野】
【０００１】
本発明は、植物栽培用容器セットおよび植物栽培用容器を用いた植物の栽培方法に関する。
【背景技術】
【０００２】
従来から、鉢やプランター等の容器を用いた野菜等の栽培方法として、多くの方法が提案されている。本願に係る発明をした者の１人が先に出願し、登録された栽培方法もその１つである（特許文献１）。これは、鉢やプランターなど、上面が開口し、下面に連通孔を有する容器を複数個用いるもので、複数の容器の開口部が、それぞれ異なる大きさであり、それらに、栽培対象とする野菜等の生育段階に応じた肥料を混合した用土を詰め、順次重ね合わせながら生育を進行させる栽培方法（以下、ｐｏｔ  ｏｎ  ｐｏｔ法と呼ぶ）であり、それなりの良い栽培結果をえることができた。
【０００３】
また、特許文献１においては、ｐｏｔ  ｏｎ  ｐｏｔ法を用いて植物の栽培を行ったときに、着果した後、必要に応じて下段に位置する容器を取り外し、根切りなどの処置を行うことにより、根切りなどの処置を行わなかったものより良いものを収穫できることを開示している。さらに、特許文献１では、重ねた容器の離脱と根切りにより、例えば樹勢が弱くなった場合にも、回復を図れることに言及している。
【先行技術文献】
【特許文献】
【０００４】
【特許文献１】特許２７４４２１０号公報
【発明の概要】
【発明が解決しようとする課題】
【０００５】
しかしながら、上述した従来の栽培方法では、容器を重ねるほど、栽培に必要な空間は大きくなる。また、下側に配置させる容器として順次サイズの大きなものを選択しなければならないため、栽培対象を植えることのできる栽培可能面積がｐｏｔ  ｏｎ  ｐｏｔ法で用いられる最小容器の開口面積であるのに対して、栽培作業に必要な面積はｐｏｔ  ｏｎ  ｐｏｔ法で用いられる最大容器の開口面積以上となるため、面積効率が悪いという問題があった。すなわち、多量の栽培を行おうとした場合、栽培作業に必要な面積が栽培可能面積に比べて大きくなってしまうという問題があった。なお、ここでいう「栽培作業に必要な面積」には、栽培に用いる容器の収納スペースなども含むこととする。
【０００６】
また、上述した栽培方法では、上段に位置した容器を持ち上げてから根切りを行う必要があるため、その作業は煩わしく、困難であるという問題があった。
【０００７】
本発明は、上記の問題を解消し、容器を順次重ね合わせながら生育を進行させる栽培方法を用いて多量の栽培を行う場合に、ｐｏｔ  ｏｎ  ｐｏｔ法と比べて面積効率を向上させることができるようにすることを目的とし、併せて、根切り作業に要する労力を軽減させることができるようにすることを目的とする。
【課題を解決するための手段】
【０００８】
本発明の植物栽培用容器は、植物の栽培に用いる植物栽培用容器セットであって、上面が開口し、底壁部には、上下方向に貫通する複数の孔が形成された容器と、前記容器に形成された複数の孔を塞がない形で前記容器を複数隣接して配設するための複数の容器収容部と、土の上などに載置されたときに、載置面と該容器収容部の底部との間に所定の空隙が形成されるようにするための空隙形成部とを備えた容器保持コンテナとにより構成された多連容器ユニットと、前記多連容器ユニットの総下面積よりも広く上面が開口し、底壁部に、上下方向に貫通する複数の孔が形成された容器であって、前記多連容器ユニットで生育している植物が所定の状態になったときに該多連容器ユニットが上側に載置され、前記植物が特定の状態となったときには該多連容器ユニットが離脱されるトレーユニットとを備えることを特徴とする。
【０００９】
上記の構成としたことで、容器を順次重ね合わせながら生育を進行させる栽培方法を用いて多量の栽培を行う場合に、ｐｏｔ  ｏｎ  ｐｏｔ法と比べて面積効率を向上させることができ、かつ、根切り作業に要する労力を軽減させることができるようになる。
【００１０】
すなわち、本発明に係る植物栽培用容器セットを用いて植物の栽培を行う方法（以下、ｐｏｔｓ
ｏｎ ｔｒａｙ法と呼ぶ）によれば、多量の栽培を行う場合に必要となる容器の数がｐｏｔ  ｏｎ  ｐｏｔ法を用いた場合に比べて少なくなるので、栽培可能面積と栽培に必要な面積との差をｐｏｔ  ｏｎ  ｐｏｔ法を用いた場合に比べて小さくすることができるようになる。
【００１１】
さらに、空隙形成部により形成される空隙を利用して植物の根切りを行うことができるので、栽培対象となる植物の根切り作業を行うときに、多連容器ユニット５０を持ち上げる作業負担を回避することができるようになる。
【００１２】
前記トレーユニットには、底壁部に前記複数の孔と略垂直に交差する根切り孔が形成された構成としてもよい。
【００１３】
また、本発明の植物の栽培方法は、植物の栽培方法であって、栽培対象とする植物の生育段階を複数に分類し、植物の栽培に用いる植物栽培用容器であって、上面が開口し、底壁部には、上下方向に貫通する複数の孔が形成された複数の容器と、前記容器に形成された複数の孔を塞がない形で前記容器を複数隣接して配設するための複数の容器収容部と、土の上などに載置されたときに、載置面と該容器収容部の底部との間に所定の空隙が形成されるようにするための空隙形成部とを備えた容器保持コンテナとを用意し、前記複数の容器に、第１生育段階に応じた肥料を混合した用土を充填し、それぞれ植物の種若しくは苗を植え付け、前記種若しくは苗の成長が第２生育段階に至ったときに、前記複数の容器を前記容器保持コンテナの容器収容部に収容した状態で第２生育段階に応じた用土の上に載置し、以後、前記栽培対象とする植物の成長に応じて、前記複数の容器を、生育段階に応じた用土の上に載置し、前記栽培対象とする植物が特定の条件を満たしたときには、前記空隙形成部により形成された空隙を通る前記栽培対象とする植物の根を切断し、前記複数の容器を載置した用土から外して、生育を進行させることを特徴とする。
【００１４】
前記複数用意した容器の総下面積よりも広く上面が開口し、底壁部には上下方向に貫通する複数の孔が形成されたトレーを、前記分類した生育段階の数に応じて用意し、前記種若しくは苗の成長が第２生育段階に至ったときに、前記トレーの１つに、第２生育段階に応じた用土を充填し、前記複数用意した容器を前記容器保持コンテナの容器収容部に収容した状態で該トレーの上に重ね合わせ、以後、前記栽培対象とする植物の成長に応じて、最下部のトレーを、次の生育段階に応じた用土の上に重ね合わせることで生育を進行させる構成としてもよい。
【００１５】
前記トレーの底壁部には、前記複数の孔と略垂直に交差する根切り孔が形成されており、前記栽培対象とする植物が所定の条件を満たしたときには、前記根切り孔を通る前記栽培対象とする植物の根を切断し、根切りに使用した根切り孔を備えたトレーを、該トレーを載置した用土から外して、生育を進行させる構成としてもよい。
【発明の効果】
【００１６】
本発明によれば、容器を順次重ね合わせながら生育を進行させる栽培方法を用いて多量の栽培を行う場合に、ｐｏｔ  ｏｎ  ｐｏｔ法と比べて面積効率を向上させることができるようになり、併せて、根切り作業に要する労力を軽減させることができるようになる。
【図面の簡単な説明】
【００１７】
【図１】本発明に係る植物栽培用容器セットの一実施の形態を示す上面図である。
【図２】図１の栽培用容器セットの一部を示す断面図である。
【図３】図１の栽培用容器セットの一部を示す断面図である。
【図４】本発明の植物の栽培方法の実施の形態を示す断面図である。
【図５】本発明の植物の栽培方法の実施の形態を示す断面図である。
【図６】本発明の植物の栽培方法の実施の形態を示す断面図である。
【発明を実施するための形態】
【００１８】
以下、本発明の一実施の形態について図面を用いて説明する。
図１は、本発明の一実施の形態の例を示す植物栽培用容器セット１００の上面図である。図１に示すように、植物栽培用容器セット１００は、上面が開口した複数の容器１０〜１Ｎ（Ｎは任意の正の整数）と、容器保持コンテナ２０と、トレー３０とを有する。本例において、容器１０〜１Ｎが容器保持コンテナ２０によって隣接して配設されたものを多連容器ユニット５０とする。また、本発明に係る植物栽培用容器セット１００は、トレー３０を１つに限定するものではなく、複数含んでいてもよい。
【００１９】
図２は、多連容器ユニット５０の断面図である。図２に示すように、本例の多連容器ユニット５０は、容器保持コンテナ２０によって容器１０〜１Ｎを隣接して配設することにより構成されている。
【００２０】
容器１０〜１Ｎは、側壁部２１と、底壁部２２とを有する。底壁部２２には、垂直方向（上下方向）に貫通する複数の孔２３が設けられている。
【００２１】
孔２３は、容器１０〜１Ｎ が植物の栽培に使用されたときに、植物の根が容器１０〜１Ｎの内部から外部へ伸びていけるようにするためだけでなく、容器１０〜１Ｎの内部に充填された用土が含む水分や種々の成分を外部に流出させることができるように形成されている。
【００２２】
容器保持コンテナ２０は、容器１０〜１Ｎを隣接して配設することができ、多数の容器１０〜１Ｎを１度に移動可能とするものである。本例においては容器保持コンテナ２０として、複数の容器１０〜１Ｎを個別に収容可能な容器収容部がマトリクス状に連設された構造のものを用いて説明を行う。
【００２３】
本例における容器収容部はフレーム構造となっており、容器収容部の底部は、容器１０〜１Ｎを収容したときに孔２３を塞がない構造となっている。また、容器保持コンテナ２０が土の上などに載置されたときに、載置面と底壁部２２との間に空隙２４を形成するための空隙形成部として、容器収容部の底部が二重構造となっている。この空隙２４は、例えば市販の鋏を用いて、多連容器ユニット５０の外部から孔２３を通る根を切断できるように形成されている。
【００２４】
なお、本発明に係る容器保持コンテナ、特に空隙形成部は、本例で挙げたものに限定されず、容器１０〜１Ｎの複数の孔２３から出る植物の根を根切り可能な程度に露出させることができるものであればよい。
【００２５】
図３は、トレー３０の断面図である。図３に示すように、トレー３０は、側壁部３１と、底壁部３２とを有する。底壁部３２には、垂直方向（上下方向）に貫通する複数の孔３３が設けられている。また、本例におけるトレー３０には、複数の孔３３と略垂直に交差するように設けられた根切り孔３４が設けられていることとする。根切り孔３４は、トレー３０の外部から、孔３３を通る植物の根を切断できるように形成されている。これにより、例えばトレー３０を複数重ね合わせて栽培を行った場合に、根切りを行う箇所の選択肢が空隙２４に限定されることを回避できるようになる。また、トレー３０は、開口面積が可変となるように、例えば底壁部２２が水平方向への伸縮機構を有する構成とされていてもよい。
【００２６】
次に、植物栽培用容器セット１００を使用して行う栽培方法を説明する。本例においては、植物栽培用容器セット１００が、容器１０〜１３と、容器保持コンテナ２０と、トレー３０により構成された場合を例に説明を行う。
【００２７】
先ず、栽培対象とする植物の生育段階を、複数の段階に分ける。本例においては、栽培対象としてホウレンソウの苗を用意し、苗の状態からのホウレンソウの生育段階を、第１段階と第２段階に分類した。なお、ホウレンソウの根が容器１０〜１３内の用土に十分に着根するまでを「第１生育段階」とし、それ以降を「第２生育段階」とした。なお、本例で用いたホウレンソウは野菜のなかでも根が放射状（横方向）に生育する種類のものであり、他には、ピーマンやレタスなどがこれに分類される。また、栽培対象の生育段階を２以上に分けてもよい。この場合、例えばトレー３０を複数用いることとすればよい。
【００２８】
次に、図４に示すように、容器１０〜１３と容器保持コンテナ２０により構成される多連容器ユニット５０の容器１０〜１３に、第１生育段階に適した用土９０Aを充填し、ホウレンソウの苗を植える。本例においては、用土９０Aとして、肥料を極力控えた用土を使用した。
【００２９】
多連容器ユニット５０を用いて生育を進行させ、用土９０Aの中にホウレンソウの根が十分に着根したら、トレー３０に第２生育段階に適した用土９０Bを充填し、多連容器ユニット５０をトレー３０の上に重ね合わせる（図５参照）。このとき、ホウレンソウの収穫前などに根切り作業を行うことを考慮して、多連容器ユニット５０を持ち上げるなどの作業を要することなく空隙２４を利用して孔２３を通る根を切断することができるように、トレー３０に十分な量の用土９０Ｂを充填することが好ましい。なお、この他にも、例えばトレー３０の側壁部３１に空隙２４に応じたスリットが形成されており、スリットを通して空隙２４に刃物などを挿入できるような構成としてもよい。
【００３０】
また、このとき多連容器ユニット５０の重さによって用土９０Bが過度に圧迫されることを防止するために、例えばトレー３０が、多連容器ユニット５０を上側で支持するための支持部を備えた構成とされていてもよい。なお、本例において用土９０Bは、赤土、堆肥、過燐酸石灰、化成肥料、その他を混合したものを使用した。
【００３１】
この状態で生育を進行させ、図６（A）に示すようにホウレンソウが収穫するのに適した状態になったら、図６（B）に示すように多連容器ユニット５０をトレー３０から離脱させる。このとき、根が細い植物を栽培対象としている場合には、多連容器部５０をトレー３０から離脱させるのに根が大きな障害とはならないが、根が太く丈夫なものを栽培対象とした場合には、根が離脱の障害となるため、空隙２４から鋏などを挿入して根を切断することが好ましい。なお、栽培対象の生育段階を多数に分けた場合には、多連容器ユニットが載置されたトレー３０を、次の生育段階に応じた用土が充填された他のトレー３０に載置するようにしてもよい。この場合、トレー３０に形成された根切り孔３４を用いて根切りを行うようにしてもよい。
【００３２】
根切り作業を行ってから、多連容器ユニット５０による植物の栽培を継続した後にホウレンソウの収穫を行うと、化学成分（硝酸イオン）含有量（ｍｇ／ｋｇ野菜重量）の少ないホウレンソウを得ることができる。なお、トレー３０から多連容器ユニット５０を外して、水だけで約１週間栽培を継続すると、硝酸イオン濃度が４０〜８０％減少することを確認した。
【００３３】
以上に説明したように、上述した一実施の形態では、植物の栽培に用いる植物栽培用容器セット１００は、上面が開口し、底壁部２２には、上下方向に貫通する複数の孔２３が形成された容器１０〜１Ｎと、容器１０〜１Ｎに形成された複数の孔２３を塞がない形で容器１０〜１Ｎを複数隣接して配設するための複数の容器収容部と、土の上などに載置されたときに、載置面と容器収容部の底部との間に所定の空隙２４が形成されるようにするための空隙形成部（例えば二重構造の底部）とを備えた容器保持コンテナ２０とにより構成された多連容器ユニット５０と、多連容器ユニット５０の総下面積よりも広く上面が開口し、底壁部３２に、上下方向に貫通する複数の孔３３が形成された容器であって、多連容器ユニット５０で生育している植物（例えばホウレンソウ）が所定の状態（例えばホウレンソウの根が容器１０〜１Ｎに充填された用土に十分着根した状態）になったときに多連容器ユニット５０が上側に載置され、植物が特定の状態（例えば収穫するのに適した状態）となったときには多連容器ユニット５０が離脱されるトレーユニット（例えばトレー３０）とを備えることを特徴とする構造としているので、容器を順次重ね合わせながら生育を進行させる栽培方法を用いて多量の栽培を行う場合に、ｐｏｔ  ｏｎ  ｐｏｔ法と比べて面積効率を向上させることができるようになり、併せて、根切り作業に要する労力を軽減させることができるようになる。
【００３４】
すなわち、本発明に係る容器を用いて植物の栽培を行う方法であるｐｏｔｓ
ｏｎ ｔｒａｙ法によれば、多量の栽培を行う場合に必要となる容器の数がｐｏｔ  ｏｎ  ｐｏｔ法を用いた場合に比べて少なくなるので、栽培可能面積と栽培に必要な面積との差をｐｏｔ  ｏｎ  ｐｏｔ法を用いた場合に比べて小さくすることができるようになる。
【００３５】
さらに、空隙２４を利用して植物の根切りを行うことができるので、栽培対象となる植物の根切り作業を行うときに、多連容器ユニット５０を持ち上げて根を露出させる作業が必要なくなるため、根切り作業における作業負担を軽減させることができるようになる。これにより、根が太く、上側の容器を離脱させるときに容器を持ち上げるだけでは根が切断されないような植物の栽培に適した植物栽培用容器セットを提供することができるようになる。
【００３６】
また、上述した実施の形態では、トレーユニット（例えばトレー３０）には、底壁部３２に複数の孔３３と略垂直に交差する根切り孔３４が形成された構成としたので、例えばトレー３０を複数重ね合わせて栽培を行った場合に、作業負担の少ない根切り作業を行える箇所の選択肢を増やすことができるようになる。
【００３７】
また、上述した一実施の形態では、植物の栽培方法であって、栽培対象とする植物（例えばホウレンソウなどの浅根菜）の生育段階を複数に分類し、植物の栽培に用いる植物栽培用容器であって、上面が開口し、底壁部２２には、上下方向に貫通する複数の孔２３が形成された複数の容器（例えば容器１０〜１３）と、容器に形成された複数の孔２３を塞がない形で容器を複数隣接して配設するための複数の容器収容部と、土の上などに載置されたときに、載置面と容器収容部の底部との間に所定の空隙２４が形成されるようにするための空隙形成部（例えば二重構造の底部）とを備えた容器保持コンテナ２０とを用意し、複数の容器に、第１生育段階に応じた肥料を混合した用土（例えば用土９０Ａ）を充填し、それぞれ植物の種若しくは苗（例えばホウレンソウの苗）を植え付け、種若しくは苗の成長が第２生育段階に至ったときに、複数の容器（例えば容器１０〜１３）を容器保持コンテナ２０の容器収容部に収容した状態で第２生育段階に応じた用土（例えばトレー３０に充填した用土９０Ｂ）の上に載置し、以後、栽培対象とする植物（例えばホウレンソウ）の成長に応じて、複数の容器（例えば容器１０〜１３）を、生育段階に応じた用土の上に載置し、栽培対象とする植物が特定の条件を満たしたとき（例えばホウレンソウが収穫するのに適した状態になったとき）には、空隙形成部により形成された空隙２４を通る栽培対象とする植物の根（例えばホウレンソウの根）を切断し、複数の容器（例えば容器１０〜１３）を載置した用土から外して、生育を進行させることを特徴とする構成としたので、栽培可能面積と栽培に必要な面積との差をｐｏｔ  ｏｎ  ｐｏｔ法を用いた場合に比べて小さくすることができるようになり、併せて、根切り作業に要する労力を軽減させることができるようになる。
【００３８】
また、上述した一実施の形態で言及したように、複数用意した容器の総下面積よりも広く上面が開口し、底壁部３２には上下方向に貫通する複数の孔３３が形成されたトレー３０を、分類した生育段階の数に応じて用意し、種若しくは苗の成長が第２生育段階に至ったときに、トレーの１つに、第２生育段階に応じた用土を充填し、複数用意した容器を容器保持コンテナ２０の容器収容部に収容した状態でトレー３０の上に重ね合わせ、以後、栽培対象とする植物の成長に応じて、最下部のトレー３０を、次の生育段階に応じた用土の上に重ね合わせることで生育を進行させる構成としてもよい。このような構成とすることにより、栽培対象の生育段階に応じた用土を必要な分だけ使用することができるようになる。
【００３９】
すなわち、トレー３０を複数用いて、順次重ね合わせていくことで、ｐｏｔ  ｏｎ  ｐｏｔ法と同様の効果を得ることができるようになる。
【００４０】
また、上述した実施の形態で言及したように、トレー３０の底壁部３２には、複数の孔３３と略垂直に交差する根切り孔３４が形成されており、栽培対象とする植物が所定の条件を満たしたときには、根切り孔３４を通る栽培対象とする植物の根を切断し、根切りに使用した根切り孔３４を備えたトレー３０を、載置した用土から外して、生育を進行させる構成としてもよい。このような構成とすることにより、作業負担の少ない根切り作業を行える箇所の選択肢を増やすことができるようになる。
【産業上の利用可能性】
【００４１】
本発明によれば、容器を順次重ね合わせながら生育を進行させる栽培方法を用いて多量の栽培を行う場合に、ｐｏｔ  ｏｎ  ｐｏｔ法と比べて面積効率を向上させるのに有用である。また、根切り作業に要する労力を軽減させるのに有用である。
【符号の説明】
【００４２】
１０〜１Ｎ  容器
２０        容器保持コンテナ
２１        側壁部
２２        底壁部
２３        孔
２４        空隙
３０        トレー
３１        側壁部
３２        底壁部
３３        孔
３４        根切り孔
５０        多連容器ユニット
１００      植物栽培用容器セット
【図１】
2010279320.tif 000003
【図２】
2010279320.tif 000004
【図３】
2010279320.tif 000005
【図４】
2010279320.tif 000006
【図５】
2010279320.tif 000007
【図６】
2010279320.tif 000008